(57)【要約】【課題】本発明は端末設備死角のない紫外線消毒装置を開示した。【解決手段】消毒箱と、前記消毒箱の中に設置された消毒チャンバとを含み、前記消毒チャンバの頂壁にはランプベースが固定的に設置され、前記ランプベースの中には紫外線ランプが装着され、前記消毒チャンバの底壁の中にはスライド溝が設置され、使用する時に消毒待ちの物、例えばスマホやパソコン等を本装置の中の指定位置に置けば、紫外線を照射して消毒を行うことができ、消毒する物の上端面を消毒し終わった後、本装置はそれを自動的に裏返すことができ、死角のない消毒を実現し、十分な消毒を行い、人で裏返す時に紫外線が直接に皮膚に照射されることを避ける。【選択図】図１
2020182814.tif 000002
【特許請求の範囲】
【請求項１】
正面視で、消毒箱と、前記消毒箱の中に設置された消毒チャンバとを含み、前記消毒チャンバの頂壁にはランプベースが固定的に設置され、前記ランプベースの中には紫外線ランプが装着され、前記消毒チャンバの底壁の中にはスライド溝が設置され、前記スライド溝の中にはスライド箱がスライドできるように設置され、
前記スライド箱の中には上方へ開口したガイド溝が設置され、前記ガイド溝の右壁には第一モータが固定的に設置され、前記第一モータの左端にはリードスクリューが動力が伝達できるように連結され、
前記消毒チャンバの中には置き機構が設置され、前記置き機構は支持板と置き溝とを含み、前記置き溝が前記支持板の中に設置され、且つ上方へ開口しており、使用する時に消毒待ちの物を前記置き溝の中に置き、
前記消毒チャンバの中には挟み機構が設置され、前記挟み機構はガイドブロックと、回転軸と、挟みブロックとを含み、前記ガイドブロックが前記ガイド溝の中に左右対称的にスライドできるように設置され、前記ガイドブロックが前記リードスクリューとネジ山により連結され、前記挟みブロックが前記回転軸と固定的に連結され、前記回転軸と前記ガイドブロックとが同期運動し、前記リードスクリューが回転する時、前記ガイドブロックが互いに近づき、これにより前記回転軸が前記挟みブロックを連動させて互いに近づかせて前記消毒待ちの物をきつく挟み、前記消毒待ちの物の上端面を消毒し終わった後、前記回転軸が回転して前記挟みブロックを連動させて回転させて前記消毒待ちの物を裏返し、十分な消毒を行うことを特徴とする端末設備死角のない紫外線消毒装置。
【請求項２】
前記ガイドブロックの上端面にはモータ箱が固定的に設置され、前記モータ箱の中には空きチャンバが設置され、前記空きチャンバの底壁には第二モータが固定的に設置され、前記第二モータの上端にはネジロッドが動力が伝達できるように連結され、前記空きチャンバの中には前記ネジロッドとネジ山により連結された移動ブロックがスライドできるように設置され、前記移動ブロックの上端面には連結ロッドが固定的に設置され、前記連結ロッドの上端が前記消毒チャンバに伸びており、且つ前記連結ロッドの上端にはラチェットギヤ箱が固定的に設置され、前記ラチェットギヤ箱の中にはラチェットギヤチャンバが設置され、前記回転軸の一端が前記ラチェットギヤチャンバの中に伸びており、前記ラチェットギヤ箱の片側端面には主動軸が回転できるように設置され、前記主動軸の一端が前記ラチェットギヤチャンバの中に伸びており、前記主動軸と前記回転軸との間はラチェットギヤ機構により伝動できるように連結され、前記主動軸のもう一端にはギヤが固定的に設置され、前記消毒チャンバの底壁にはラックが左右対称的に固定的に設置され、前記ギヤが前記ラックと噛み合っており、前記消毒待ちの物を裏返す時、前記第二モータが起動して前記移動ブロックを上昇させて更に前記ラチェットギヤ箱を上昇させ、前記挟みブロックが前記消毒待ちの物を連動させて上昇させることにより間もなく行う反転のためにスペースを空け、前記ギヤと前記ラックとの噛み合いにより前記主動軸を連動させて回転させ、前記ラチェットギヤ機構の作用のもとで前記回転軸が回転しなく、指定位置まで達した後、前記第二モータが起動して逆方向へ回転して前記移動ブロックを下降させ、前記主動軸が反転して前記ラチェットギヤ機構により前記回転軸を連動させて回転させ、前記挟みブロックが前記消毒待ちの物を裏返し、前記消毒待ちの物のもう一面を上方に向かせて消毒することを特徴とする請求項１に記載の端末設備死角のない紫外線消毒装置。
【請求項３】
前記置き機構は前記消毒チャンバの底壁に前後対称的にスライドできるように設置された固定ブロックを含み、前記固定ブロックは伝動ロッドにより前記スライド箱と連結され、前記固定ブロックの中には上方へ開口した緩衝チャンバが設置され、前記緩衝チャンバの中には支持ロッドがスライドできるように設置され、前記支持ロッドと前記緩衝チャンバの底壁との間には押圧バネが連結され、前記支持板が前記支持ロッドの上端面と固定的に連結され、前記消毒待ちの物を裏返す時、時々前記消毒待ちの物の長さが長すぎるので、前記移動ブロックの上昇の高さが前記消毒待ちの物の翻転半径より小さく、この時、前記消毒待ちの物が前記支持板を押し、前記支持板が前記支持ロッドと前記押圧バネとの作用のもとで一定の高さ下降することができることを特徴とする請求項１に記載の端末設備死角のない紫外線消毒装置。
【請求項４】
前記消毒箱の中には前記スライド溝に連通したバネチャンバが設置され、前記バネチャンバの中には前記スライド箱の下端面と固定的に連結されたスライダがスライドできるように設置され、前記スライダと前記バネチャンバの左壁との間には復帰バネが連結されたことを特徴とする請求項１に記載の端末設備死角のない紫外線消毒装置。
【請求項５】
前記スライダの右端面には引きロッドが固定的に設置され、前記引きロッドが外部空間に伸びており、前記消毒箱の右端面の中にはドア軸チャンバが設置され、前記ドア軸チャンバの前後壁の間にはドア軸が回転できるように設置され、前記ドア軸と前記ドア軸チャンバの内壁との間には捻りバネが連結され、前記ドア軸には閉鎖ドアが固定的に設置され、前記消毒待ちの物を置く時、前記引きロッドを引き動かし、前記支持板を引き出して置くことを特徴とする請求項１に記載の端末設備死角のない紫外線消毒装置。
【請求項６】
前記挟みブロックの相対端面の中には片側が開口した収納溝が設置されたことを特徴とする請求項１に記載の端末設備死角のない紫外線消毒装置。
【請求項７】
前記収納溝の中には定位ブロックがスライドできるように設置され、前記定位ブロックと前記収納溝の片側内壁との間にはバネが連結されたことを特徴とする請求項６に記載の端末設備死角のない紫外線消毒装置。
【請求項８】
前記収納溝の片側内壁には前記第一モータと通電できるように連結されたセンサーが固定的に設置され、前記定位ブロックが前記消毒待ちの物と当接した後、前記バネを圧縮し、前記定位ブロックが前記センサーと当接した後、前記第一モータが停止し、この時、前記挟みブロックが前記消毒待ちの物をきつく挟むことを特徴とする請求項７に記載の端末設備死角のない紫外線消毒装置。
【発明の詳細な説明】
【技術分野】
【０００１】
本発明は消毒設備技術分野を取り上げて、具体的には端末設備死角のない紫外線消毒装置である。
【背景技術】
【０００２】
スマホ、パソコン等の人々が持ち歩き、且ついつも使用する物は、よく手と接触し、しかも洗いにくいので、このような物に多い細菌等の有害物質が存在し、従来の紫外線消毒設備は一面だけを照射して消毒できるので、人で裏返す必要があり、欠点が存在しており、改善する必要がある。
【先行技術文献】
【特許文献】
【０００３】
【特許文献１】中国特許出願公開第１０８７９３３１４号明細書
【発明の概要】
【発明が解決しようとする課題】
【０００４】
上記技術の不足について本発明は端末設備死角のない紫外線消毒装置を提供し、従来の紫外線消毒設備は一面だけを照射して消毒できる欠点を解消することを目的とする。
【課題を解決するための手段】
【０００５】
本発明の端末設備死角のない紫外線消毒装置は、消毒箱と、前記消毒箱の中に設置された消毒チャンバとを含み、前記消毒チャンバの頂壁にはランプベースが固定的に設置され、前記ランプベースの中には紫外線ランプが装着され、前記消毒チャンバの底壁の中にはスライド溝が設置され、前記スライド溝の中にはスライド箱がスライドできるように設置され、
前記スライド箱の中には上方へ開口したガイド溝が設置され、前記ガイド溝の右壁には第一モータが固定的に設置され、前記第一モータの左端にはリードスクリューが動力が伝達できるように連結され、
前記消毒チャンバの中には置き機構が設置され、前記置き機構は支持板と置き溝とを含み、前記置き溝が前記支持板の中に設置され、且つ上方へ開口しており、使用する時に消毒待ちの物を前記置き溝の中に置き、
前記消毒チャンバの中には挟み機構が設置され、前記挟み機構はガイドブロックと、回転軸と、挟みブロックとを含み、前記ガイドブロックが前記ガイド溝の中に左右対称的にスライドできるように設置され、前記ガイドブロックが前記リードスクリューとネジ山により連結され、前記挟みブロックが前記回転軸と固定的に連結され、前記回転軸と前記ガイドブロックとが同期運動し、前記リードスクリューが回転する時、前記ガイドブロックが互いに近づき、これにより前記回転軸が前記挟みブロックを連動させて互いに近づかせて前記消毒待ちの物をきつく挟み、前記消毒待ちの物の上端面を消毒し終わった後、前記回転軸が回転して前記挟みブロックを連動させて回転させて前記消毒待ちの物を裏返し、十分な消毒を行う。
【０００６】
更の技術プランとしては、前記ガイドブロックの上端面にはモータ箱が固定的に設置され、前記モータ箱の中には空きチャンバが設置され、前記空きチャンバの底壁には第二モータが固定的に設置され、前記第二モータの上端にはネジロッドが動力が伝達できるように連結され、前記空きチャンバの中には前記ネジロッドとネジ山により連結された移動ブロックがスライドできるように設置され、前記移動ブロックの上端面には連結ロッドが固定的に設置され、前記連結ロッドの上端が前記消毒チャンバに伸びており、且つ前記連結ロッドの上端にはラチェットギヤ箱が固定的に設置され、前記ラチェットギヤ箱の中にはラチェットギヤチャンバが設置され、前記回転軸の一端が前記ラチェットギヤチャンバの中に伸びており、前記ラチェットギヤ箱の片側端面には主動軸が回転できるように設置され、前記主動軸の一端が前記ラチェットギヤチャンバの中に伸びており、前記主動軸と前記回転軸との間はラチェットギヤ機構により伝動できるように連結され、前記主動軸のもう一端にはギヤが固定的に設置され、前記消毒チャンバの底壁にはラックが左右対称的に固定的に設置され、前記ギヤが前記ラックと噛み合っており、前記消毒待ちの物を裏返す時、前記第二モータが起動して前記移動ブロックを上昇させて更に前記ラチェットギヤ箱を上昇させ、前記挟みブロックが前記消毒待ちの物を連動させて上昇させることにより間もなく行う反転のためにスペースを空け、前記ギヤと前記ラックとの噛み合いにより前記主動軸を連動させて回転させ、前記ラチェットギヤ機構の作用のもとで前記回転軸が回転しなく、指定位置まで達した後、前記第二モータが起動して逆方向へ回転して前記移動ブロックを下降させ、前記主動軸が反転して前記ラチェットギヤ機構により前記回転軸を連動させて回転させ、前記挟みブロックが前記消毒待ちの物を裏返し、前記消毒待ちの物のもう一面を上方に向かせて消毒する。
【０００７】
更の技術プランとしては、前記置き機構は前記消毒チャンバの底壁に前後対称的にスライドできるように設置された固定ブロックを含み、前記固定ブロックは伝動ロッドにより前記スライド箱と連結され、前記固定ブロックの中には上方へ開口した緩衝チャンバが設置され、前記緩衝チャンバの中には支持ロッドがスライドできるように設置され、前記支持ロッドと前記緩衝チャンバの底壁との間には押圧バネが連結され、前記支持板が前記支持ロッドの上端面と固定的に連結され、前記消毒待ちの物を裏返す時、時々前記消毒待ちの物の長さが長すぎるので、前記移動ブロックの上昇の高さが前記消毒待ちの物の翻転半径より小さく、この時、前記消毒待ちの物が前記支持板を押し、前記支持板が前記支持ロッドと前記押圧バネとの作用のもとで一定の高さ下降することができる。
【０００８】
更の技術プランとしては、前記消毒箱の中には前記スライド溝に連通したバネチャンバが設置され、前記バネチャンバの中には前記スライド箱の下端面と固定的に連結されたスライダがスライドできるように設置され、前記スライダと前記バネチャンバの左壁との間には復帰バネが連結された。
【０００９】
更の技術プランとしては、前記スライダの右端面には引きロッドが固定的に設置され、前記引きロッドが外部空間に伸びており、前記消毒箱の右端面の中にはドア軸チャンバが設置され、前記ドア軸チャンバの前後壁の間にはドア軸が回転できるように設置され、前記ドア軸と前記ドア軸チャンバの内壁との間には捻りバネが連結され、前記ドア軸には閉鎖ドアが固定的に設置され、前記消毒待ちの物を置く時、前記引きロッドを引き動かし、前記支持板を引き出して置く。
【００１０】
更の技術プランとしては、前記挟みブロックの相対端面の中には片側が開口した収納溝が設置された。
【００１１】
更の技術プランとしては、前記収納溝の中には定位ブロックがスライドできるように設置され、前記定位ブロックと前記収納溝の片側内壁との間にはバネが連結された。
【００１２】
更の技術プランとしては、前記収納溝の片側内壁には前記第一モータと通電できるように連結されたセンサーが固定的に設置され、前記定位ブロックが前記消毒待ちの物と当接した後、前記バネを圧縮し、前記定位ブロックが前記センサーと当接した後、前記第一モータが停止し、この時、前記挟みブロックが前記消毒待ちの物をきつく挟む。
【発明の効果】
【００１３】
以上により、本発明は構成が簡単であり、使用しやすく、使用する時に消毒待ちの物、例えばスマホやパソコン等を本装置の中の指定位置に置けば、紫外線を照射して消毒を行うことができ、消毒する物の上端面を消毒し終わった後、本装置はそれを自動的に裏返すことができ、死角のない消毒を実現し、十分な消毒を行い、人で裏返す時に紫外線が直接に皮膚に照射されることを避ける。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の端末設備死角のない紫外線消毒装置の全体構成模式図
【図２】図２は図１の中のＡ―Ａのところの構成模式図
【図３】図３は図１の中のＢ―Ｂのところの構成模式図
【図４】図４は図１の中のＣのところの構成模式図
【発明を実施するための形態】
【００１６】
以下は付図説明と実施例を交えて本発明について更に説明し、本発明の方式は以下の実施例を含むが、これのみに限定されるものではない。
【００１７】
図１〜４を参照し、本発明装置の端末設備死角のない紫外線消毒装置は、消毒箱１０と、前記消毒箱１０の中に設置された消毒チャンバ３７とを含み、前記消毒チャンバ３７の頂壁にはランプベース３６が固定的に設置され、前記ランプベース３６の中には紫外線ランプ３５が装着され、前記消毒チャンバ３７の底壁の中にはスライド溝１７が設置され、前記スライド溝１７の中にはスライド箱１２がスライドできるように設置され、前記スライド箱１２の中には上方へ開口したガイド溝２４が設置され、前記ガイド溝２４の右壁には第一モータ１８が固定的に設置され、前記第一モータ１８の左端にはリードスクリュー１９が動力が伝達できるように連結され、前記消毒チャンバ３７の中には置き機構２００が設置され、前記置き機構２００は支持板２６と置き溝２７とを含み、前記置き溝２７が前記支持板２６の中に設置され、且つ上方へ開口しており、使用する時に消毒待ちの物５５を前記置き溝２７の中に置き、前記消毒チャンバ３７の中には挟み機構１００が設置され、前記挟み機構１００はガイドブロック３０と、回転軸４３と、挟みブロック４０とを含み、前記ガイドブロック３０が前記ガイド溝２４の中に左右対称的にスライドできるように設置され、前記ガイドブロック３０が前記リードスクリュー１９とネジ山により連結され、前記挟みブロック４０が前記回転軸４３と固定的に連結され、前記回転軸４３と前記ガイドブロック３０とが同期運動し、前記リードスクリュー１９が回転する時、前記ガイドブロック３０が互いに近づき、これにより前記回転軸４３が前記挟みブロック４０を連動させて互いに近づかせて前記消毒待ちの物５５をきつく挟み、前記消毒待ちの物５５の上端面を消毒し終わった後、前記回転軸４３が回転して前記挟みブロック４０を連動させて回転させて前記消毒待ちの物５５を裏返し、十分な消毒を行う。
【００１８】
前記ガイドブロック３０の上端面にはモータ箱４４が固定的に設置され、前記モータ箱４４の中には空きチャンバ３２が設置され、前記空きチャンバ３２の底壁には第二モータ３１が固定的に設置され、前記第二モータ３１の上端にはネジロッド５４が動力が伝達できるように連結され、前記空きチャンバ３２の中には前記ネジロッド５４とネジ山により連結された移動ブロック３３がスライドできるように設置され、前記移動ブロック３３の上端面には連結ロッド３４が固定的に設置され、前記連結ロッド３４の上端が前記消毒チャンバ３７に伸びており、且つ前記連結ロッド３４の上端にはラチェットギヤ箱４１が固定的に設置され、前記ラチェットギヤ箱４１の中にはラチェットギヤチャンバ４９が設置され、前記回転軸４３の一端が前記ラチェットギヤチャンバ４９の中に伸びており、前記ラチェットギヤ箱４１の片側端面には主動軸４５が回転できるように設置され、前記主動軸４５の一端が前記ラチェットギヤチャンバ４９の中に伸びており、前記主動軸４５と前記回転軸４３との間はラチェットギヤ機構４８により伝動できるように連結され、前記主動軸４５のもう一端にはギヤ３８が固定的に設置され、前記消毒チャンバ３７の底壁にはラック１１が左右対称的に固定的に設置され、前記ギヤ３８が前記ラック１１と噛み合っており、前記消毒待ちの物５５を裏返す時、前記第二モータ３１が起動して前記移動ブロック３３を上昇させて更に前記ラチェットギヤ箱４１を上昇させ、前記挟みブロック４０が前記消毒待ちの物５５を連動させて上昇させることにより間もなく行う反転のためにスペースを空け、前記ギヤ３８と前記ラック１１との噛み合いにより前記主動軸４５を連動させて回転させ、前記ラチェットギヤ機構４８の作用のもとで前記回転軸４３が回転しなく、指定位置まで達した後、前記第二モータ３１が起動して逆方向へ回転して前記移動ブロック３３を下降させ、前記主動軸４５が反転して前記ラチェットギヤ機構４８により前記回転軸４３を連動させて回転させ、前記挟みブロック４０が前記消毒待ちの物５５を裏返し、前記消毒待ちの物５５のもう一面を上方に向かせて消毒する。
【００１９】
前記置き機構２００は前記消毒チャンバ３７の底壁に前後対称的にスライドできるように設置された固定ブロック２８を含み、前記固定ブロック２８は伝動ロッド５３により前記スライド箱１２と連結され、前記固定ブロック２８の中には上方へ開口した緩衝チャンバ４７が設置され、前記緩衝チャンバ４７の中には支持ロッド２９がスライドできるように設置され、前記支持ロッド２９と前記緩衝チャンバ４７の底壁との間には押圧バネ４６が連結され、前記支持板２６が前記支持ロッド２９の上端面と固定的に連結され、前記消毒待ちの物５５を裏返す時、時々前記消毒待ちの物５５の長さが長すぎるので、前記移動ブロック３３の上昇の高さが前記消毒待ちの物５５の翻転半径より小さく、この時、前記消毒待ちの物５５が前記支持板２６を押し、前記支持板２６が前記支持ロッド２９と前記押圧バネ４６との作用のもとですることができる。
【００２０】
前記消毒箱１０の中には前記スライド溝１７に連通したバネチャンバ１４が設置され、前記バネチャンバ１４の中には前記スライド箱１２の下端面と固定的に連結されたスライダ１５がスライドできるように設置され、前記スライダ１５と前記バネチャンバ１４の左壁との間には復帰バネ１３が連結され、前記スライダ１５の右端面には引きロッド１６が固定的に設置され、前記引きロッド１６が外部空間に伸びており、前記消毒箱１０の右端面の中にはドア軸チャンバ２２が設置され、前記ドア軸チャンバ２２の前後壁の間にはドア軸２１が回転できるように設置され、前記ドア軸２１と前記ドア軸チャンバ２２の内壁との間には捻りバネ２３が連結され、前記ドア軸２１には閉鎖ドア２０が固定的に設置され、前記消毒待ちの物５５を置く時、前記引きロッド１６を引き動かし、前記支持板２６を引き出して置く。
【００２１】
前記挟みブロック４０の相対端面の中には片側が開口した収納溝５０が設置され、前記収納溝５０の中には定位ブロック４２がスライドできるように設置され、前記定位ブロック４２と前記収納溝５０の片側内壁との間にはバネ５１が連結され、前記収納溝５０の片側内壁には前記第一モータ１８と通電できるように連結されたセンサー５２が固定的に設置され、前記定位ブロック４２が前記消毒待ちの物５５と当接した後、前記バネ５１を圧縮し、前記定位ブロック４２が前記センサー５２と当接した後、前記第一モータ１８が停止し、この時、前記挟みブロック４０が前記消毒待ちの物５５をきつく挟む。
【００２２】
前記端末設備死角のない紫外線消毒装置の実現方法は、以下のステップを含む：
【００２３】
１、引きロッド１６を右方へ引き動かし、スライダ１５によりスライド箱１２を連動させて右方へ運動させ、スライド箱１２が閉鎖ドア２０を押して開け、消毒待ちの物５５を置き溝２７の中に置く。
【００２４】
２、引きロッド１６を放し、スライダ１５が復帰バネ１３の作用のもとで復帰し、閉鎖ドア２０が捻りバネ２３の作用のもとで消毒チャンバ３７を閉鎖し、紫外線ランプ３５がオンにされ、消毒待ちの物５５の上端面を照射して消毒を行う。
【００２５】
３、指定時間になった後、第一モータ１８が起動し、リードスクリュー１９が回転してガイドブロック３０を互いに近づかせ、更に挟みブロック４０が消毒待ちの物５５をきつく挟み、第二モータ３１が起動して移動ブロック３３を上昇させて更にラチェットギヤ箱４１を上昇させ、挟みブロック４０が消毒待ちの物５５を連動させて上昇させることにより間もなく行う反転のためにスペースを空ける。
【００２６】
４、ギヤ３８とラック１１との噛み合いにより主動軸４５を連動させて回転させ、ラチェットギヤ機構４８の作用のもとで回転軸４３が回転しなく、指定位置まで達した後、第二モータ３１が起動して逆方向へ回転して移動ブロック３３を下降させ、主動軸４５が反転してラチェットギヤ機構４８により回転軸４３を連動させて回転させ、挟みブロック４０が消毒待ちの物５５を裏返し、消毒待ちの物５５のもう一面を上方に向かせて消毒する。
【００２７】
以上により、本発明は構成が簡単であり、使用しやすく、使用する時に消毒待ちの物、例えばスマホやパソコン等を本装置の中の指定位置に置けば、紫外線を照射して消毒を行うことができ、消毒する物の上端面を消毒し終わった後、本装置はそれを自動的に裏返すことができ、死角のない消毒を実現し、十分な消毒を行い、人で裏返す時に紫外線が直接に皮膚に照射されることを避ける。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020182814.tif 000003
【図２】
2020182814.tif 000004
【図３】
2020182814.tif 000005
【図４】
2020182814.tif 000006
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、消毒箱と、前記消毒箱の中に設置された消毒チャンバとを含み、前記消毒チャンバの頂壁にはランプベースが固定的に設置され、前記ランプベースの中には紫外線ランプが装着され、前記消毒チャンバの底壁の中にはスライド溝が設置され、前記スライド溝の中にはスライド箱がスライドできるように設置され、
前記スライド箱の中には上方へ開口したガイド溝が設置され、前記ガイド溝の右壁には第一モータが固定的に設置され、前記第一モータの左端にはリードスクリューが動力が伝達できるように連結され、
前記消毒チャンバの中には置き機構が設置され、前記置き機構は支持板と置き溝とを含み、前記置き溝が前記支持板の中に設置され、且つ上方へ開口しており、使用する時に消毒待ちの物を前記置き溝の中に置き、
前記消毒チャンバの中には挟み機構が設置され、前記挟み機構はガイドブロックと、回転軸と、挟みブロックとを含み、前記ガイドブロックが前記ガイド溝の中に左右対称的にスライドできるように設置され、前記ガイドブロックが前記リードスクリューとネジ山により連結され、前記挟みブロックが前記回転軸と固定的に連結され、前記回転軸と前記ガイドブロックとが同期運動し、前記リードスクリューが回転する時、前記ガイドブロックが互いに近づき、これにより前記回転軸が前記挟みブロックを連動させて互いに近づかせて前記消毒待ちの物をきつく挟み、前記消毒待ちの物の上端面を消毒し終わった後、前記回転軸が回転して前記挟みブロックを連動させて回転させて前記消毒待ちの物を裏返し、十分な消毒を行い、
前記ガイドブロックの上端面にはモータ箱が固定的に設置され、前記モータ箱の中には空きチャンバが設置され、前記空きチャンバの底壁には第二モータが固定的に設置され、前記第二モータの上端にはネジロッドが動力が伝達できるように連結され、前記空きチャンバの中には前記ネジロッドとネジ山により連結された移動ブロックがスライドできるように設置され、前記移動ブロックの上端面には連結ロッドが固定的に設置され、前記連結ロッドの上端が前記消毒チャンバに伸びており、且つ前記連結ロッドの上端にはラチェットギヤ箱が固定的に設置され、前記ラチェットギヤ箱の中にはラチェットギヤチャンバが設置され、前記回転軸の一端が前記ラチェットギヤチャンバの中に伸びており、前記ラチェットギヤ箱の片側端面には主動軸が回転できるように設置され、前記主動軸の一端が前記ラチェットギヤチャンバの中に伸びており、前記主動軸と前記回転軸との間はラチェットギヤ機構により伝動できるように連結され、前記主動軸のもう一端にはギヤが固定的に設置され、前記消毒チャンバの底壁にはラックが左右対称的に固定的に設置され、前記ギヤが前記ラックと噛み合っており、前記消毒待ちの物を裏返す時、前記第二モータが起動して前記移動ブロックを上昇させて更に前記ラチェットギヤ箱を上昇させ、前記挟みブロックが前記消毒待ちの物を連動させて上昇させることにより間もなく行う反転のためにスペースを空け、前記ギヤと前記ラックとの噛み合いにより前記主動軸を連動させて回転させ、前記ラチェットギヤ機構の作用のもとで前記回転軸が回転しなく、指定位置まで達した後、前記第二モータが起動して逆方向へ回転して前記移動ブロックを下降させ、前記主動軸が反転して前記ラチェットギヤ機構により前記回転軸を連動させて回転させ、前記挟みブロックが前記消毒待ちの物を裏返し、前記消毒待ちの物のもう一面を上方に向かせて消毒することを特徴とする端末設備死角のない紫外線消毒装置。
【請求項２】
前記置き機構は前記消毒チャンバの底壁に前後対称的にスライドできるように設置された固定ブロックを含み、前記固定ブロックは伝動ロッドにより前記スライド箱と連結され、前記固定ブロックの中には上方へ開口した緩衝チャンバが設置され、前記緩衝チャンバの中には支持ロッドがスライドできるように設置され、前記支持ロッドと前記緩衝チャンバの底壁との間には押圧バネが連結され、前記支持板が前記支持ロッドの上端面と固定的に連結され、前記消毒待ちの物を裏返す時、時々前記消毒待ちの物の長さが長すぎるので、前記移動ブロックの上昇の高さが前記消毒待ちの物の翻転半径より小さく、この時、前記消毒待ちの物が前記支持板を押し、前記支持板が前記支持ロッドと前記押圧バネとの作用のもとで一定の高さ下降することができることを特徴とする請求項１に記載の端末設備死角のない紫外線消毒装置。
【請求項３】
前記消毒箱の中には前記スライド溝に連通したバネチャンバが設置され、前記バネチャンバの中には前記スライド箱の下端面と固定的に連結されたスライダがスライドできるように設置され、前記スライダと前記バネチャンバの左壁との間には復帰バネが連結されたことを特徴とする請求項１に記載の端末設備死角のない紫外線消毒装置。
【請求項４】
前記スライダの右端面には引きロッドが固定的に設置され、前記引きロッドが外部空間に伸びており、前記消毒箱の右端面の中にはドア軸チャンバが設置され、前記ドア軸チャンバの前後壁の間にはドア軸が回転できるように設置され、前記ドア軸と前記ドア軸チャンバの内壁との間には捻りバネが連結され、前記ドア軸には閉鎖ドアが固定的に設置され、前記消毒待ちの物を置く時、前記引きロッドを引き動かし、前記支持板を引き出して置くことを特徴とする請求項１に記載の端末設備死角のない紫外線消毒装置。
【請求項５】
前記挟みブロックの相対端面の中には片側が開口した収納溝が設置されたことを特徴とする請求項１に記載の端末設備死角のない紫外線消毒装置。
【請求項６】
前記収納溝の中には定位ブロックがスライドできるように設置され、前記定位ブロックと前記収納溝の片側内壁との間にはバネが連結されたことを特徴とする請求項５に記載の端末設備死角のない紫外線消毒装置。
【請求項７】
前記収納溝の片側内壁には前記第一モータと通電できるように連結されたセンサーが固定的に設置され、前記定位ブロックが前記消毒待ちの物と当接した後、前記バネを圧縮し、前記定位ブロックが前記センサーと当接した後、前記第一モータが停止し、この時、前記挟みブロックが前記消毒待ちの物をきつく挟むことを特徴とする請求項６に記載の端末設備死角のない紫外線消毒装置。
【手続補正２】
【補正対象書類名】明細書
【補正対象項目名】全文
【補正方法】変更
【補正の内容】
【発明の詳細な説明】
【技術分野】
【０００１】
本発明は消毒設備技術分野を取り上げて、具体的には端末設備死角のない紫外線消毒装置である。
【背景技術】
【０００２】
スマホ、パソコン等の人々が持ち歩き、且ついつも使用する物は、よく手と接触し、しかも洗いにくいので、このような物に多い細菌等の有害物質が存在し、従来の紫外線消毒設備は一面だけを照射して消毒できるので、人で裏返す必要があり、欠点が存在しており、改善する必要がある。
【先行技術文献】
【特許文献】
【０００３】
【特許文献１】中国特許出願公開第１０８７９３３１４号明細書
【発明の概要】
【発明が解決しようとする課題】
【０００４】
上記技術の不足について本発明は端末設備死角のない紫外線消毒装置を提供し、従来の紫外線消毒設備は一面だけを照射して消毒できる欠点を解消することを目的とする。
【課題を解決するための手段】
【０００５】
本発明の端末設備死角のない紫外線消毒装置は、消毒箱と、前記消毒箱の中に設置された消毒チャンバとを含み、前記消毒チャンバの頂壁にはランプベースが固定的に設置され、前記ランプベースの中には紫外線ランプが装着され、前記消毒チャンバの底壁の中にはスライド溝が設置され、前記スライド溝の中にはスライド箱がスライドできるように設置され、
前記スライド箱の中には上方へ開口したガイド溝が設置され、前記ガイド溝の右壁には第一モータが固定的に設置され、前記第一モータの左端にはリードスクリューが動力が伝達できるように連結され、
前記消毒チャンバの中には置き機構が設置され、前記置き機構は支持板と置き溝とを含み、前記置き溝が前記支持板の中に設置され、且つ上方へ開口しており、使用する時に消毒待ちの物を前記置き溝の中に置き、
前記消毒チャンバの中には挟み機構が設置され、前記挟み機構はガイドブロックと、回転軸と、挟みブロックとを含み、前記ガイドブロックが前記ガイド溝の中に左右対称的にスライドできるように設置され、前記ガイドブロックが前記リードスクリューとネジ山により連結され、前記挟みブロックが前記回転軸と固定的に連結され、前記回転軸と前記ガイドブロックとが同期運動し、前記リードスクリューが回転する時、前記ガイドブロックが互いに近づき、これにより前記回転軸が前記挟みブロックを連動させて互いに近づかせて前記消毒待ちの物をきつく挟み、前記消毒待ちの物の上端面を消毒し終わった後、前記回転軸が回転して前記挟みブロックを連動させて回転させて前記消毒待ちの物を裏返し、十分な消毒を行う。
【０００６】
更の技術プランとしては、前記ガイドブロックの上端面にはモータ箱が固定的に設置され、前記モータ箱の中には空きチャンバが設置され、前記空きチャンバの底壁には第二モータが固定的に設置され、前記第二モータの上端にはネジロッドが動力が伝達できるように連結され、前記空きチャンバの中には前記ネジロッドとネジ山により連結された移動ブロックがスライドできるように設置され、前記移動ブロックの上端面には連結ロッドが固定的に設置され、前記連結ロッドの上端が前記消毒チャンバに伸びており、且つ前記連結ロッドの上端にはラチェットギヤ箱が固定的に設置され、前記ラチェットギヤ箱の中にはラチェットギヤチャンバが設置され、前記回転軸の一端が前記ラチェットギヤチャンバの中に伸びており、前記ラチェットギヤ箱の片側端面には主動軸が回転できるように設置され、前記主動軸の一端が前記ラチェットギヤチャンバの中に伸びており、前記主動軸と前記回転軸との間はラチェットギヤ機構により伝動できるように連結され、前記主動軸のもう一端にはギヤが固定的に設置され、前記消毒チャンバの底壁にはラックが左右対称的に固定的に設置され、前記ギヤが前記ラックと噛み合っており、前記消毒待ちの物を裏返す時、前記第二モータが起動して前記移動ブロックを上昇させて更に前記ラチェットギヤ箱を上昇させ、前記挟みブロックが前記消毒待ちの物を連動させて上昇させることにより間もなく行う反転のためにスペースを空け、前記ギヤと前記ラックとの噛み合いにより前記主動軸を連動させて回転させ、前記ラチェットギヤ機構の作用のもとで前記回転軸が回転しなく、指定位置まで達した後、前記第二モータが起動して逆方向へ回転して前記移動ブロックを下降させ、前記主動軸が反転して前記ラチェットギヤ機構により前記回転軸を連動させて回転させ、前記挟みブロックが前記消毒待ちの物を裏返し、前記消毒待ちの物のもう一面を上方に向かせて消毒する。
【０００７】
更の技術プランとしては、前記置き機構は前記消毒チャンバの底壁に前後対称的にスライドできるように設置された固定ブロックを含み、前記固定ブロックは伝動ロッドにより前記スライド箱と連結され、前記固定ブロックの中には上方へ開口した緩衝チャンバが設置され、前記緩衝チャンバの中には支持ロッドがスライドできるように設置され、前記支持ロッドと前記緩衝チャンバの底壁との間には押圧バネが連結され、前記支持板が前記支持ロッドの上端面と固定的に連結され、前記消毒待ちの物を裏返す時、時々前記消毒待ちの物の長さが長すぎるので、前記移動ブロックの上昇の高さが前記消毒待ちの物の翻転半径より小さく、この時、前記消毒待ちの物が前記支持板を押し、前記支持板が前記支持ロッドと前記押圧バネとの作用のもとで一定の高さ下降することができる。
【０００８】
更の技術プランとしては、前記消毒箱の中には前記スライド溝に連通したバネチャンバが設置され、前記バネチャンバの中には前記スライド箱の下端面と固定的に連結されたスライダがスライドできるように設置され、前記スライダと前記バネチャンバの左壁との間には復帰バネが連結された。
【０００９】
更の技術プランとしては、前記スライダの右端面には引きロッドが固定的に設置され、前記引きロッドが外部空間に伸びており、前記消毒箱の右端面の中にはドア軸チャンバが設置され、前記ドア軸チャンバの前後壁の間にはドア軸が回転できるように設置され、前記ドア軸と前記ドア軸チャンバの内壁との間には捻りバネが連結され、前記ドア軸には閉鎖ドアが固定的に設置され、前記消毒待ちの物を置く時、前記引きロッドを引き動かし、前記支持板を引き出して置く。
【００１０】
更の技術プランとしては、前記挟みブロックの相対端面の中には片側が開口した収納溝が設置された。
【００１１】
更の技術プランとしては、前記収納溝の中には定位ブロックがスライドできるように設置され、前記定位ブロックと前記収納溝の片側内壁との間にはバネが連結された。
【００１２】
更の技術プランとしては、前記収納溝の片側内壁には前記第一モータと通電できるように連結されたセンサーが固定的に設置され、前記定位ブロックが前記消毒待ちの物と当接した後、前記バネを圧縮し、前記定位ブロックが前記センサーと当接した後、前記第一モータが停止し、この時、前記挟みブロックが前記消毒待ちの物をきつく挟む。
【発明の効果】
【００１３】
以上により、本発明は構成が簡単であり、使用しやすく、使用する時に消毒待ちの物、例えばスマホやパソコン等を本装置の中の指定位置に置けば、紫外線を照射して消毒を行うことができ、消毒する物の上端面を消毒し終わった後、本装置はそれを自動的に裏返すことができ、死角のない消毒を実現し、十分な消毒を行い、人で裏返す時に紫外線が直接に皮膚に照射されることを避ける。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の端末設備死角のない紫外線消毒装置の全体構成模式図
【図２】図２は図１の中のＡ―Ａのところの構成模式図
【図３】図３は図１の中のＢ―Ｂのところの構成模式図
【図４】図４は図１の中のＣのところの構成模式図
【発明を実施するための形態】
【００１６】
以下は付図説明と実施例を交えて本発明について更に説明し、本発明の方式は以下の実施例を含むが、これのみに限定されるものではない。
【００１７】
図１〜４を参照し、本発明装置の端末設備死角のない紫外線消毒装置は、消毒箱１０と、前記消毒箱１０の中に設置された消毒チャンバ３７とを含み、前記消毒チャンバ３７の頂壁にはランプベース３６が固定的に設置され、前記ランプベース３６の中には紫外線ランプ３５が装着され、前記消毒チャンバ３７の底壁の中にはスライド溝１７が設置され、前記スライド溝１７の中にはスライド箱１２がスライドできるように設置され、前記スライド箱１２の中には上方へ開口したガイド溝２４が設置され、前記ガイド溝２４の右壁には第一モータ１８が固定的に設置され、前記第一モータ１８の左端にはリードスクリュー１９が動力が伝達できるように連結され、前記消毒チャンバ３７の中には置き機構２００が設置され、前記置き機構２００は支持板２６と置き溝２７とを含み、前記置き溝２７が前記支持板２６の中に設置され、且つ上方へ開口しており、使用する時に消毒待ちの物５５を前記置き溝２７の中に置き、前記消毒チャンバ３７の中には挟み機構１００が設置され、前記挟み機構１００はガイドブロック３０と、回転軸４３と、挟みブロック４０とを含み、前記ガイドブロック３０が前記ガイド溝２４の中に左右対称的にスライドできるように設置され、前記ガイドブロック３０が前記リードスクリュー１９とネジ山により連結され、前記挟みブロック４０が前記回転軸４３と固定的に連結され、前記回転軸４３と前記ガイドブロック３０とが同期運動し、前記リードスクリュー１９が回転する時、前記ガイドブロック３０が互いに近づき、これにより前記回転軸４３が前記挟みブロック４０を連動させて互いに近づかせて前記消毒待ちの物５５をきつく挟み、前記消毒待ちの物５５の上端面を消毒し終わった後、前記回転軸４３が回転して前記挟みブロック４０を連動させて回転させて前記消毒待ちの物５５を裏返し、十分な消毒を行う。
【００１８】
前記ガイドブロック３０の上端面にはモータ箱４４が固定的に設置され、前記モータ箱４４の中には空きチャンバ３２が設置され、前記空きチャンバ３２の底壁には第二モータ３１が固定的に設置され、前記第二モータ３１の上端にはネジロッド５４が動力が伝達できるように連結され、前記空きチャンバ３２の中には前記ネジロッド５４とネジ山により連結された移動ブロック３３がスライドできるように設置され、前記移動ブロック３３の上端面には連結ロッド３４が固定的に設置され、前記連結ロッド３４の上端が前記消毒チャンバ３７に伸びており、且つ前記連結ロッド３４の上端にはラチェットギヤ箱４１が固定的に設置され、前記ラチェットギヤ箱４１の中にはラチェットギヤチャンバ４９が設置され、前記回転軸４３の一端が前記ラチェットギヤチャンバ４９の中に伸びており、前記ラチェットギヤ箱４１の片側端面には主動軸４５が回転できるように設置され、前記主動軸４５の一端が前記ラチェットギヤチャンバ４９の中に伸びており、前記主動軸４５と前記回転軸４３との間はラチェットギヤ機構４８により伝動できるように連結され、前記主動軸４５のもう一端にはギヤ３８が固定的に設置され、前記消毒チャンバ３７の底壁にはラック１１が左右対称的に固定的に設置され、前記ギヤ３８が前記ラック１１と噛み合っており、前記消毒待ちの物５５を裏返す時、前記第二モータ３１が起動して前記移動ブロック３３を上昇させて更に前記ラチェットギヤ箱４１を上昇させ、前記挟みブロック４０が前記消毒待ちの物５５を連動させて上昇させることにより間もなく行う反転のためにスペースを空け、前記ギヤ３８と前記ラック１１との噛み合いにより前記主動軸４５を連動させて回転させ、前記ラチェットギヤ機構４８の作用のもとで、回転軸４３は回転しなく、消毒待ちの物５５が裏返し可能な高度に達した後、第二モータ３１が起動して逆回転し、移動ブロック３３を降下させ、前記主動軸４５が反転して前記ラチェットギヤ機構４８により前記回転軸４３を連動させて回転させ、前記挟みブロック４０が前記消毒待ちの物５５を裏返し、前記消毒待ちの物５５のもう一面を上方に向かせて消毒する。
【００１９】
前記置き機構２００は前記消毒チャンバ３７の底壁に前後対称的にスライドできるように設置された固定ブロック２８を含み、前記固定ブロック２８は伝動ロッド５３により前記スライド箱１２と連結され、前記固定ブロック２８の中には上方へ開口した緩衝チャンバ４７が設置され、前記緩衝チャンバ４７の中には支持ロッド２９がスライドできるように設置され、前記支持ロッド２９と前記緩衝チャンバ４７の底壁との間には押圧バネ４６が連結され、前記支持板２６が前記支持ロッド２９の上端面と固定的に連結され、前記消毒待ちの物５５を裏返す時、時々前記消毒待ちの物５５の長さが長すぎるので、前記移動ブロック３３の上昇の高さが前記消毒待ちの物５５の翻転半径より小さく、この時、前記消毒待ちの物５５が前記支持板２６を押し、前記支持板２６が前記支持ロッド２９と前記押圧バネ４６との作用のもとですることができる。
【００２０】
前記消毒箱１０の中には前記スライド溝１７に連通したバネチャンバ１４が設置され、前記バネチャンバ１４の中には前記スライド箱１２の下端面と固定的に連結されたスライダ１５がスライドできるように設置され、前記スライダ１５と前記バネチャンバ１４の左壁との間には復帰バネ１３が連結され、前記スライダ１５の右端面には引きロッド１６が固定的に設置され、前記引きロッド１６が外部空間に伸びており、前記消毒箱１０の右端面の中にはドア軸チャンバ２２が設置され、前記ドア軸チャンバ２２の前後壁の間にはドア軸２１が回転できるように設置され、前記ドア軸２１と前記ドア軸チャンバ２２の内壁との間には捻りバネ２３が連結され、前記ドア軸２１には閉鎖ドア２０が固定的に設置され、前記消毒待ちの物５５を置く時、前記引きロッド１６を引き動かし、前記支持板２６を引き出して置く。
【００２１】
前記挟みブロック４０の相対端面の中には片側が開口した収納溝５０が設置され、前記収納溝５０の中には定位ブロック４２がスライドできるように設置され、前記定位ブロック４２と前記収納溝５０の片側内壁との間にはバネ５１が連結され、前記収納溝５０の片側内壁には前記第一モータ１８と通電できるように連結されたセンサー５２が固定的に設置され、前記定位ブロック４２が前記消毒待ちの物５５と当接した後、前記バネ５１を圧縮し、前記定位ブロック４２が前記センサー５２と当接した後、前記第一モータ１８が停止し、この時、前記挟みブロック４０が前記消毒待ちの物５５をきつく挟む。
【００２２】
前記端末設備死角のない紫外線消毒装置の実現方法は、以下のステップを含む：
【００２３】
１、引きロッド１６を右方へ引き動かし、スライダ１５によりスライド箱１２を連動させて右方へ運動させ、スライド箱１２が閉鎖ドア２０を押して開け、消毒待ちの物５５を置き溝２７の中に置く。
【００２４】
２、引きロッド１６を放し、スライダ１５が復帰バネ１３の作用のもとで復帰し、閉鎖ドア２０が捻りバネ２３の作用のもとで消毒チャンバ３７を閉鎖し、紫外線ランプ３５がオンにされ、消毒待ちの物５５の上端面を照射して消毒を行う。
【００２５】
３、指定時間になった後、第一モータ１８が起動し、リードスクリュー１９が回転してガイドブロック３０を互いに近づかせ、更に挟みブロック４０が消毒待ちの物５５をきつく挟み、第二モータ３１が起動して移動ブロック３３を上昇させて更にラチェットギヤ箱４１を上昇させ、挟みブロック４０が消毒待ちの物５５を連動させて上昇させることにより間もなく行う反転のためにスペースを空ける。
【００２６】
４、ギヤ３８とラック１１との噛み合いにより主動軸４５を連動させて回転させ、ラチェットギヤ機構４８の作用のもとで回転軸４３が回転しなく、指定位置まで達した後、第二モータ３１が起動して逆方向へ回転して移動ブロック３３を下降させ、主動軸４５が反転してラチェットギヤ機構４８により回転軸４３を連動させて回転させ、挟みブロック４０が消毒待ちの物５５を裏返し、消毒待ちの物５５のもう一面を上方に向かせて消毒する。
【００２７】
以上により、本発明は構成が簡単であり、使用しやすく、使用する時に消毒待ちの物、例えばスマホやパソコン等を本装置の中の指定位置に置けば、紫外線を照射して消毒を行うことができ、消毒する物の上端面を消毒し終わった後、本装置はそれを自動的に裏返すことができ、死角のない消毒を実現し、十分な消毒を行い、人で裏返す時に紫外線が直接に皮膚に照射されることを避ける。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【手続補正書】
【提出日】令和2年4月22日(2020.4.22)
【手続補正１】
【補正対象書類名】特許請求の範囲
【補正対象項目名】請求項４
【補正方法】変更
【補正の内容】
【請求項４】
前記スライダの右端面には引きロッドが固定的に設置され、前記引きロッドが外部空間に伸びており、前記消毒箱の右端面の中にはドア軸チャンバが設置され、前記ドア軸チャンバの前後壁の間にはドア軸が回転できるように設置され、前記ドア軸と前記ドア軸チャンバの内壁との間には捻りバネが連結され、前記ドア軸には閉鎖ドアが固定的に設置され、前記消毒待ちの物を置く時、前記引きロッドを引き動かし、前記支持板を引き出して置くことを特徴とする請求項３に記載の端末設備死角のない紫外線消毒装置。